(57)【要約】  【課題】例えば、座席シートなどのシートカバーに適用されてスライドファスナーの閉鎖時に強力な横引き力が加わっても、スライダーにエレメントを円滑に導入できるような隠しスライドファスナーのスライダーを提供する。  【解決手段】隠しスライドファスナー用のスライダー(100) は、下翼板(101) の左右側縁に沿って一対の逆Ｌ字形断面をもつ第１フランジ(102,103) を有するとともに、同下翼板(101) の一端中央部に立設された略楕円形の水平断面をもつ案内柱(104) を有している。一対の第１フランジ(102,103) の上板部分(102a,103a) の間の楔状空間には、前記案内柱(104) の上面に一体に形成された矩形領域(105a)と楔状領域(105b)とを有し、前記案内柱(104) の外周に沿って外側に張り出した第２フランジ(105) を備えている。この第２フランジ(105) の肩口側端部の下面高さを他の領域の高さより高く設定するとともに、周面に後口側に向けて段階的にテーパ角（α1 〜α5) が漸増するテーパ面(105c)を形成する。  【選択図】図１
2007054176.tif 000002
【特許請求の範囲】
【請求項１】
相対する側縁部がＵ字状に屈曲固定され、同側縁部の折り曲げ端縁の外側表面に沿って多数の噛合エレメントが取着された一対のファスナーストリンガー(FS)の各噛合エレメント(E) を係脱する隠しスライドファスナー用のスライダー(100) であって、
同スライダー(100) は、同スライダー(100) の摺動方向に直交する左右側縁部に沿って立設する逆Ｌ字形断面からなる一対の第１フランジ(102,103) をもつ下翼板(101) と、同下翼板(101) の摺動方向の一端中央部に立設された案内柱(104) と、前記一対の第１フランジ(102,103) の上板部分(102a,103a) の間に配され、前記案内柱(104) の上面に一体に形成された矩形領域(105a)と同矩形領域(105a)から摺動方向に延在する楔板領域(105b)とを有し、前記案内柱(104) の外周に沿って外側に張り出した第２フランジ(105) とを備えてなり、
前記第２フランジ(105) の周面の、左右の前記第１フランジ(102,103) の左右の前記上板部分(102a,103a) の案内柱側端面を通る直線Ｌと交わる部分の少なくとも案内柱(104) 側の外側領域に、下端から上方に向けて拡がるテーパ面(105c)が形成されてなり、
前記テーパ面(105c)の上端稜線部(Eg)が前記第１フランジ(102,103) の前記上板部分(102a,103a) の上面より低く、且つ下翼板(101) の上面と前記上板部分(102a,103a) の下面との間の高さ(H) よりも高く設定されてなる、
ことを特徴とする隠しスライドファスナー用スライダー。
【請求項２】
前記テーパ面(105c)の上端稜線部(Eg)は、前記直線Ｌの楔板領域(105b)側の第２フランジ部分の上端稜線部(Eg)と前記下翼板(101) の上面との間の高さ(H5)が最も小さく、
前記直線Ｌの楔板領域(105b)側と反対側の端面にかけての前記テーパ面(105c)の上端稜線部(Eg)は、下翼板(101) の上面との間の高さ(H5 〜H1) が段階的に漸増するように設定されてなる請求項１記載の隠しスライドファスナー用スライダー。
【請求項３】
前記テーパ面(105c)が、第２フランジ(105) の周方向に複数段に変化するテーパ角( α1 〜α5)を有し、同第２フランジ(105) の前記直線Ｌの近傍のテーパ角( α1)が最も大きく、同直線Ｌから案内柱側の端部にかけてテーパ角（α3,α2,α1)が漸次小さく設定されてなる請求項１又は２に記載の隠しスライドファスナー用スライダー。
【請求項４】
前記第１フランジ(102,103) の上面と第２フランジ(105) の上面とが同一平面上にあり、少なくとも前記直線Ｌよりも楔板領域(105b)側の前記第２フランジ(105) の下面は前記第１フランジ(102,103) の下面よりも下方に配されてなる請求項１記載の隠しスライドファスナー用スライダー。
【請求項５】
前記複数段の各テーパ角( α1 〜α5)は０°〜９０°の範囲で段階的に順次変化させてなる請求項３記載の隠しスライドファスナー用スライダー。
【請求項６】
前記第１フランジ(102,103) の上板部分(102a,103a) と前記第２フランジ(105) との間にＹ字状のテープ案内通路(GP)が形成され、前記第２フランジ(105) の矩形領域(105a)の長辺延長線により内外部分に区分けされた第１フランジ(102,103) の内側部分の縁部下面が段差を介して外側部分の下面よりも薄肉に形成されてなる請求項１記載の隠しスライドファスナー用スライダー。
【発明の詳細な説明】
【技術分野】
【０００１】
本発明はスライドファスナーの閉鎖時には、その開閉具であるスライダーの本体が外部に表出しないタイプの隠しスライドファスナー用のスライダーに関し、特にスライドファスナーの閉鎖時において強い横引き力が作用しても、円滑なスライダー操作を可能にする隠しスライドファスナー用のスライダーに関する。
【背景技術】
【０００２】
この種の隠しスライドファスナーは女性用の被服類に多く使われていたが、近年は他分野の例えば自動車や列車の座席シートなどに進出するようになった。座席シートは、予めフレームに一体に形成されたクッション体にシートカバーが被覆される。このとき、シートカバーの寸法はクッション体の大径寸法よりも小さくして、クッション体を圧縮状態で被覆し、外観形状に生じる緩みや変形などの発生を極力抑制するようにしている。また、着座時の人体などの荷重分布にも容易に対応するように弾性変形しても、座席から離れると確実に原形に戻るようにして形崩れを防いでいる。
【０００３】
シートカバーは、通常、天然皮革や合成皮革、或いは様々な構造をもつ編織物などからなる表皮層と、ポリウレタン発泡体シートなどからなる薄い弾性中間層と、極めて細い糸条を使って編成又は織成して得られる薄手の編織物などからなる裏面基布層とがラミネート加工などによって積層一体化されたシートから構成される。通常は、これらのシートを座席シートの形状に合わせて複数枚からなるシート片を裁断し、これらのシート片を組み合わせて立体的に縫製してシートカバーを製作する。しかしながら、シートカバーの全体を縫製により製作すると、複雑な外観形状をもつ座席のクッション体にシートカバーを被覆できない場合が多発する。そこで従来は、予め未縫製部分を作っておき、クッション体に被覆したのち前記未縫製部分を手縫いにて縫製していた。
【０００４】
しかしながら、この手縫いによる縫製では、縫製作業員の技能の差により完成品に品質や縫製時間に差が生じやすい。そこで、近年では手縫いを排除すべく、シートカバーの縫製部の一部、例えば玉縁部に沿ってスライドファスナー、特にスライダー本体が外側に表出しない隠しスライドファスナーが使われることが多くなった。その結果、全ての縫製をミシンによりできるようになり、技能の差に基づく従来の不具合が大幅になくなり生産効率も一段と向上した。
【０００５】
この隠しスライドファスナーは、例えば特公昭５０−２５８５５号公報（特許文献１）にも開示されているように、スライダー胴体の下翼板のスライダー摺動方向に直交する側縁には、各側縁に沿って逆Ｌ字断面をもつ左右一対の第１フランジが立設されている。この一対の第１フランジは平面視で平行な直線部と、同直線部に続き互いが離間するように屈曲しながら拡開する拡開部とを有している。前記下翼板の拡開側の端部には略楕円形の水平断面をもつ案内柱が上方に向けて垂直に立設されている。この案内柱の上面には第２フランジが一体に形成されるとともに、同第２フランジの上面には摺動方向に延在する門型の引手取付柱が一体に形成されている。この引手取付柱には引手が摺動方向の前後に回動自在に取り付けられる。第２フランジは前記案内柱の周面を囲むようにして外側に延設された略矩形状板部と、同矩形状板部に続いて前記第１フランジの上記直線部の間に向けて延設された先端を先鋭に形成した楔状の板部とからなる。ここで、案内柱側の端部開口を肩口といい、案内柱とは反対側の開口を後口という。
【０００６】
前記第１フランジと前記案内柱及び第２フランジにより形成される空間が噛合エレメント列の案内通路となり、第１フランジと第２フランジとの間に形成される間隙がファスナーテープの案内間隙となる。一方、かかる構成を備えたスライダーが挿通されるファスナーストリンガーは、噛合頭部を内側にして多数の噛合エレメントが２本一対のファスナーテープの対向側縁に沿って、それぞれ縫製などにより取り付けられる。こうして得られる一対のファスナーストリンガーの各エレメント取付縁部を噛合エレメントの噛合頭部が外側に突出するように、同エレメント取付縁部に沿ってＵ字状に折り曲げられ、熱セットなどによりその折曲げ形状が固定される。こうした構造をもつ一対のファスナーストリンガーを、上記スライダーの肩口からエレメントの噛合頭部を向かい合わせるとともにファスナーテープの折返し部分を上記第１及び第２フランジ間のテープ案内間隙から外側に延出させてスライダーを挿通する。
【特許文献１】特公昭５０−２５８５５号公報
【発明の開示】
【発明が解決しようとする課題】
【０００７】
以上の構成を備えたスライダーを挿通して得られる従来の隠しスライドファスナーにあって、特に上述ような自動車などの座席シートのシートカバーに適用して、最後に同隠しスライドファスナーを閉鎖するとき、シートカバーがクッション体の外形寸法より小さく形成されているため、スライダーの近傍のファスナーストリンガーには強力な横引き力が加わる。この強力な横引き力は、上述のような隠しスライドファスナーに特有の構造によって噛合エレメント列を立ち上がらせる。特に、従来のスライダーには案内柱の肩口側の端面から左右側面にかけて、ほぼ第１フランジと同等肉厚の第２フランジが延在している。
【０００８】
この第２フランジの肩口付近の部分にて横引き力を受けながら肩口へと導入される各エレメントは、ファスナーテープのテープ面に対して略直角となるまで立ち上がる。各エレメントの連結部がスライダーの下翼板の上面に載るまでは、同エレメントは先にスライダーのエレメント案内通路に導入されて、第１フランジ、案内柱及び第２フランジの上板部分との接触により傾倒姿勢とされている先行エレメントによる傾倒させる力と、スライダーの摺動操作に基づくファスナーテープＴの相対的な引張力との影響を受ける。そのため、各エレメントの連結部がスライダーの下翼板の上面に載ると僅かに傾倒するが、その傾倒が少ないため、往々にしてエレメントの連結部が前記第１フランジと第２フランジとの間に挟み込まれてしまい、スライダーの摺動を不可能にする。ここで無理にスライダーを摺動させようとすると、横引き力によるエレメントを損傷させるばかりでなく、ファスナーテープの折曲げ縁を裂断しかねない。
【０００９】
本発明は、こうした従来の不具合を解消すべくなされたものであり、具体的には例えば座席シートなどのシートカバーに適用されてスライドファスナーの閉鎖時に強力な横引き力が加わっても、円滑なスライダーの摺動操作を可能にした隠しスライドファスナーのスライダーを提供することを目的としている。
【課題を解決するための手段】
【００１０】
前記目的は、本発明の主要な構成である相対する側縁部がＵ字状に屈曲固定され、同側縁部の折り曲げ端縁の外側表面に沿って多数の噛合エレメントが取着された一対のファスナーストリンガーの各噛合エレメントを係脱する隠しスライドファスナー用のスライダーであって、同スライダーは、同スライダーの摺動方向に直交する左右側縁部に沿って立設する逆Ｌ字形断面からなる一対の第１フランジをもつ下翼板と、同下翼板の摺動方向の一端中央部に立設された案内柱と、前記一対の第１フランジの上板部分の間に配され、前記案内柱の上面に一体に形成された矩形領域と同矩形領域から摺動方向に延在する楔板領域とを有し、前記案内柱の外周に沿って外側に張り出した第２フランジとを備えてなり、前記第２フランジの周面の、左右の前記第１フランジの左右の前記上板部分の案内柱側端面を通る直線Ｌと交わる部分の少なくとも案内柱側の外側領域に、下端から上方に向けて拡がるテーパ面が形成されてなり、前記テーパ面の上端稜線部が前記第１フランジの前記上板部分の上面より低く、且つ下翼板の上面と前記上板部分の下面との間の高さよりも高く設定されてなることを特徴とする隠しスライドファスナー用スライダーにより効果的に達成される。
【００１１】
好適な実施態様によれば、前記テーパ面の上端稜線部は、前記直線Ｌの楔板領域側の第２フランジ部分の上端稜線部と前記下翼板の上面との間の高さが最も小さく、前記直線Ｌの楔板領域側と反対側の端面にかけての前記テーパ面の上端稜線部は、下翼板の上面との間の高さが段階的に漸増するように設定される。また好適には前記テーパ面が、第２フランジの周方向に複数段に変化するテーパ角を有し、同第２フランジの前記直線Ｌの近傍のテーパ角が最も大きく、同直線Ｌから案内柱側の端部にかけてテーパ角が漸次小さく設定される。更に、前記第１フランジの上面と第２フランジの上面とが同一平面上にあり、少なくとも前記直線Ｌよりも楔板領域側の前記第２フランジの下面は前記第１フランジの下面よりも下方に配されるとよい。前記複数段の各テーパ角は０°〜９０°の範囲で段階的に順次変化させるとよい。
【００１２】
前記第１フランジの上板部分と前記第２フランジとの間にＹ字状のテープ案内通路が形成され、前記第２フランジの矩形領域の長辺延長線により内外部分に区分けされた第１フランジの内側部分の縁部下面が段差を介して外側部分の下面よりも薄肉に形成されこともある。
【作用効果】
【００１３】
上述のとおり、隠しスライドファスナー用のスライダーにおける案内柱側（肩口側）の案内柱の上面に一体に形成された矩形板部と同矩形板部から摺動方向に延在する楔板部とを有する第２フランジのうちで、下翼板の左右から立ち上がる逆Ｌ字断面をもつ左右の前記第１フランジの左右の前記上板部分の案内柱側端面を通る直線Ｌと交わる部分の少なくとも肩口側の外側領域に、下端から上方に向けて拡がるテーパ面が形成されている。このテーパ面の上端稜線部は前記第１フランジの前記上板部分の上面より低く、且つ下翼板の上面と前記上板部分の下面との間の高さよりも高く設定されている。そのため、例えば、自動車などの座席シートを被覆するシートカバーに取付けられた隠しスライドファスナーでは、同ファスナーを閉鎖しようとするとき、ファスナーテープには極めて強い横引き力が働くため、肩口から下翼板、案内柱、第１フランジ及び第２フランジにより形成されたエレメント案内通路に順次導入される噛合エレメントは、肩口から離間した位置ではファスナーテープのテープ面に対して略平行であった姿勢が、肩口に近づくに連れてエレメントの連結部が上となり、噛合頭部が下となってエレメント取付部が逆さまの状態で、テープ面に対して直角に立ち上がった姿勢となる。
【００１４】
従来のスライダーでは第２フランジの肩口端部付近も後口側端部も、その下面と下翼板との間の寸法は変わらない。そのため、肩口側の下翼板に載ったエレメントは先行してエレメント通路内に入ったエレメント及びテープの引張力と傾倒させようとする力の影響を受けて僅かに傾倒はするものの、完全には傾倒しないままに第２フランジと干渉し合いながら第２フランジへと導入が続けられ、肩口の部分へと立ち上がったままの状態でエレメントの連結部から脚部の間が第１フランジの上板部分と第２フランジの間の間隙に挟み込まれ、スライダーの動きを止めてしまうことが多い。
【００１５】
これに対して、本発明によるスライダーは、上述のごとき下翼板に対する第２フランジの肩口側のテーパ面の上端稜線部の高さを後口のそれよりも高く設定しているため、たとえエレメントが僅かな傾倒姿勢で下翼板上に載っても第２フランジと干渉することがなくなり、第２フランジのテーパ面に案内されてエレメント案内通路に導入される。この導入の間に、テーパ面による案内と、先行エレメント及びファスナーテープの引張力によるエレメントを傾倒させようとする力との総合的な影響を受けて、エレメント連結部が第２フランジの下面に潜ろうとする姿勢へと徐々に傾く。一旦、エレメント案内通路内に導入されたエレメントは、下翼板の上板部分と第２フランジとによって傾倒姿勢が確保されて、相対的にスライダーのエレメント案内通路内を円滑に進むようになる。そのため、従来のようにエレメントの噛合頭部や脚部が下翼板の上板部分と第２フランジとの間に挟まれることがなくなり、エレメントの破損やファスナーテープの裂断などの発生が防止され、スライダーの円滑な摺動操作によって隠しスライドファスナーを支障なく閉鎖させることができる。
【００１６】
また、更に前記テーパ面の上端稜線部は、前記直線Ｌの楔板領域側の第２フランジ部分の上端稜線部と前記下翼板の上面との間の高さが最も小さく、前記直線Ｌの楔板領域側と反対側の端面にかけての前記テーパ面の上端稜線部は、下翼板の上面との間の高さが段階的に漸増するように設定される。また好適には前記テーパ面が、第２フランジの周方向に複数段に変化するテーパ角を有し、同第２フランジの前記直線Ｌの近傍のテーパ角が最も大きく、同直線Ｌから案内柱側の端部にかけてテーパ角が漸次小さく設定される。かかる構成により、上述のようにスライダーのエレメント案内通路内に円滑に導入されたエレメントは、その噛合頭部が第２フランジの前記テーパ面に案内されて後口に向かう途中で段階的に第２フランジの楔板領域の下面へと導かれて水平に近い噛合姿勢とされ、第２フランジの楔板領域の先端を越えた直後に相手方のエレメントと完全に噛合して後口へと案内される。
【００１７】
このとき、第１フランジの上面と第２フランジの上面とを同一平面上に配するとともに、前記第２フランジの少なくとも前記第１フランジの上板部分と対向する領域の下面を前記第１フランジの下面よりも下方に配し、同時にそのテーパ面を前記第１フランジの上板部分の下面を含む平面との交差線から下方に形成すると、エレメント案内通路を相対的に移動するエレメントの傾倒姿勢が安定して維持され、続く相手方との噛合が円滑且つ確実になされるようになる。
【００１８】
前記多段に変化するテーパ角を肩口側の端部から後口側の端部にかけて、０°〜９０°の範囲で段階的に順次漸増させると、肩口から案内通路に導入されたエレメントはテーパ面にエレメントの噛合頭部が摺接しながら立ち姿勢から次第に順次大きく傾倒する姿勢へと変わりながら円滑に後口へと導かれ、円滑に且つ確実な噛合を実現する。第２フランジの周面に形成されるテーパ面は、スライダーの成形と同時に形成する。その成形をしやすくすべく、第１フランジの上板部分を前記第２フランジの矩形板部の長辺延長線をもって内外部分に区分けし、その区分けされた上板部分の内側領域の下面を段差を挟んで外側領域の下面よりも薄肉に形成する。
【発明を実施するための最良の形態】
【００１９】
以下、本発明の代表的な実施形態を図示実施例に基づいて具体的に説明する。
図１〜図４は、本発明の第１実施例を示している。図１は同実施例に係る隠しスライドファスナー用のスライダーを肩口側の斜め上方から見た斜視図である。本実施例のスライダー１００にあっても、従来と同様に、左右の側縁に沿って立設された逆Ｌ字断面の第１フランジ１０２，１０３を備えた下翼板１０１と、同下翼板１０１の肩口側端部に前記第１フランジ１０２，１０３と同方向に立設された水平断面が略楕円形状の案内柱１０４と、同案内柱１０４の上面に同案内柱１０４の周面から外側に延出して一体に形成された第２フランジ１０５と、同第２フランジ１０５の上面にスライダー１００の摺動方向に延在する門型の引手取付柱１０６と、一端部の環状部１０７ａを介して前記引手取付柱１０６に回動自在に支持された引手１０７とを備えている。
【００２０】
前記下翼板１０１は、肩口端縁から案内柱１０４のほぼ肩口側半部に沿って漸次拡幅されたのち、前記案内柱１０４の後口側半部に沿って漸次縮幅され、同案内柱の後口側端を越えるあたりから後口端縁までを同一幅としている。かかる形状を有する下翼板１０１の左右側縁に第１フランジ１０２，１０３がスライダー１００の摺動方向に沿って立設される。この第１フランジ１０２，１０３は鏡面対称の形状を有し、上板部分１０２ａ，１０３ａと、側壁部分１０２ｂ，１０３ｂとからなる横断面が逆Ｌ字状の部材からなり、その後口側の左右側壁部分１０２ｂ，１０３ｂは平行領域１０２ｂ，１０３ｂとされている。前記左右の側壁部分１０２ｂ，１０３ｂは前記上板部分１０２ａ，１０３ａの肩口側端部に対応する領域を欠落させている。
【００２１】
また本実施例にあっては、前記案内柱１０４の後口側半部から後口に向けて突出する楔状平面を有するランド部１０１ａが下翼板１０１の上面に形成されている。上記第２フランジ１０５は全体が平板状であり、前記案内柱１０４の肩口側端縁及び左右側縁の周面に沿って形成される矩形領域１０５ａと、前記矩形領域１０５ａに続いて案内柱１０４の後口側端縁から先鋭な先端を後口に向けて一体に延設された楔状領域１０５ｂとを備えている。
【００２２】
こうした構成を備えた本実施例に係るスライダー１００の、前記下翼板１０１の上面に形成された前記ランド部１０１ａの周辺領域と、案内柱１０４と、第１フランジ１０２，１０３と、第２フランジ１０５との間にＹ字状のエレメント案内通路ＧＰが形成される。図示例によれば、左右一対の前記第１フランジ１０２，１０３の上面と第２フランジ１０５の上面とは同一平面内にある。一方、第１フランジ１０２，１０３の各上板部分１０２ａ，１０３ａの下面と第２フランジ１０５の下面とは同一平面上になく、第１フランジ１０２，１０３の各上板部分１０２ａ，１０３ａの下面の方が第２フランジ１０５の下面よりも上方にある。換言すると、第１フランジ１０２，１０３の各上板部分１０２ａ，１０３ａの肉厚が第２フランジ１０５の肉厚よりも薄く形成されている。また、左右一対の前記第１フランジ１０２，１０３の各上板部分１０２ａの内側側面と前記第２フランジ１０５の周側面との間には図示せぬファスナーテープが挿通できる間隙Ｄを有している。
【００２３】
かかる基本構成を備えた本実施例の隠しスライドファスナー用スライダー１００にあっては、更に本発明の最も特徴とする構成を備えている。すなわち、上記第２フランジ１０５の周縁部が従来と異なる構成を備えている。これを図４及び図５を参照しながら、具体的に説明する。図４は引手取付柱１０６を排除したときの第２フランジ１０５を斜め上方から見た斜視図である。また、図５、図６及び図７は、それぞれが図４におけるV-V 線、VI-VI 線、VII-VII 線に沿った矢視断面図である。
【００２４】
図４に基づいて、第２フランジ１０５の全体の形状を簡単に説明すると、第２フランジ１０５は上述のとおり平面視で案内柱１０４の上面部分は矩形領域１０５ａと同矩形領域１０５ａから後口側に延びる楔状領域１０５ｂをもつ板材からなる。その周側面には、図４に示すように、丁度、案内柱１０４の肩口端から後口側端まで５段階にテーパ角を変わたテーパ面１０５ｃが形成されている。ただし、以下に述べる本実施例におけるテーパ面１０５ｃの形状やテーパ角αは、この例に限定されるものではなく、隠しスライドファスナーの仕様により多様に変更できるものである。本発明におけるテーパ面１０５ｃは、第２フランジ１０５の上面よりは低い位置に上端稜線部Ｅｇを有しており、すべて案内柱１０４の周面及びランド部１０１ａに向けて下傾斜している。
【００２５】
同図によれば、案内柱１０４の肩口端からほぼ案内柱１０４の半部より少ない部分にかけては、上記テーパ面１０５ｃの前記上端稜線部Ｅｇと下翼板１０１の上面との間の高さＨ１が最も高く且つフランジ厚みが最も薄肉Ｔ１である第１テーパ面１０５ｃ−１とされている。この第１テーパ面１０５ｃ−１に続く、第２フランジ１０５の後口端側の第２テーパ角α２は第１テーパ角α１よりも徐々に立ち上げられ、更に続く後口端側の第３テーパ角α３（図示省略。）は第２テーパ角α２よりも徐々に立ち上げられ、これが繰り返されて楔上領域１０５ｂの先端部の第５テーパ角α５（図示省略。）となる。この第５テーパ角α５は殆ど傾斜がなく０°に近い。また同時に、前記テーパ面１０５ｃ及び第２フランジ１０５の肉厚Ｔ１〜Ｔ５（Ｔ３、Ｔ５は図示省略。）も、テーパ角αの変化に応じて順次大きくされている。ただし、本実施例では第２フランジ１０５の第４及び第５番目の肉厚Ｔ４，Ｔ５は同一厚さとしている。従って、テーパ面１０５ｃの前記上端稜線部Ｅｇと下翼板１０１の上面との間の高さＨ１〜Ｈ５（Ｈ３、Ｈ５は図示省略。）は、Ｈ１＞Ｈ２＞Ｈ３＞Ｈ４（＝Ｈ５）の関係で順次低くなっている。
【００２６】
ここで、本実施例では左右の第１フランジ１０２，１０３の上板部分１０２ａ，１０３ａの各肩口側端面を結ぶ直線Ｌ（図１及び図４）よりも肩口端側の第２フランジ１０５の周面は、図４〜図６に示すように第１〜第４のテーパ面１０５ｃ−１〜１０５ｃ−４にむかうにつれてテーパ角αを、肉厚Ｈと同様に第１〜第４テーパ角α１〜α４と大きくなしている。しかし、前記テーパ面１０５ｃは後述するように前記直線Ｌ（図１及び図４）よりも肩口端側の第２フランジ１０５の周面に形成すれば足りる場合もある。
【００２７】
本実施例の第２フランジ１０５について更に具体的に説明すると、第２フランジ１０５の周面は肩口側端から矩形板状領域１０５ａの半部までは最も薄いほぼ同一の肉厚Ｔ１であるが、以降の案内柱１０４の後口側端部付近まで肉厚がＴ２〜Ｔ３と漸次増加しており、同時に第２フランジ１０５の下面まで形成される下傾斜するテーパ角α１〜α３も段階的に大きくしている。このことは、同じく図５〜図７からも理解できるとおり、下翼板１０１のエレメント案内面ＧＳから第２フランジ１０５の肩口端部側のテーパ面１０５ｃ−１〜１０５ｃ−３の上記上端稜線部Ｅｇまでの高さＨ１〜Ｈ３が、案内柱１０４の後口側端付近から楔状領域１０５ｂにかけての下翼板１０１の上面との間の高さＨ４，Ｈ５よりも高くなることを意味している。なお、本実施例では第２フランジ１０５の肩口側端部の肉厚Ｔ１を薄くすると同時に、そのテーパ角α１を他のテーパ角α２及びα３よりも小さくしてテーパ面１０５ｃを形成しているが、このテーパ角α１は排除してもよい。すなわち、テーパ角α１は０°としてもよい。
【００２８】
第２フランジ１０５の周面形状を、以上のように形成することにより、従来のように、隠しスライドファスナーの閉鎖のためのスライダー操作時に、ファスナーテープに特に強力な横引き力が加わっても、第１フランジ１０２，１０３の各上板部分１０２ａ，１０３ａと、第２フランジ１０５との間の間隙ＤにエレメンＥが挟み込まれることがなくなり、スライダー１００を円滑に摺動操作できるようにする。これを図８及び図９に基づいて詳しく説明する。
【００２９】
図９は下翼板１０１のエレメント案内面から第２フランジ１０５を見たときの断面図であり、図１０はスライダー１００の第１フランジ１０２手前の噛合エレメントＥ１と先行してエレメント案内通路ＧＰに導入されたエレメントＥ２の立ち姿勢の変化を示す説明図である。これらの図から理解できるように、スライダー１００の肩口側前方の左右ファスナーストリンガーＦＳは、ファスナーテープに対する強力な横引き力により大きく開いた状態にあり、このとき噛合エレメントＥは噛合頭部ＥＨを上方（図９の手前側）に向けてファスナーテープのテープ面に対して直角に近い姿勢で立ち上がっている。
【００３０】
スライダー１００の閉鎖方向（図９の上方）の摺動操作により、連続するエレメントＥは順次スライダー１００の下翼板１０１のエレメント案内面ＧＳに載る。このときエメント案内面ＧＳに載ったエレメントＥ１には相変わらず強力な横引き力が加わっているが、先行してスライダー１００のエレメント案内通路ＧＰに導入されているエレメントＥ２は第１及び第２フランジ１０２，１０３；１０５によって傾倒姿勢が強制され、そのためファスナーテープにも横引き力に対抗する力が働き、スライダー１００の肩口から離れているエレメントＥと比べると大きく傾倒しようとしている。ここで、従来のスライダーのように第２フランジの肉厚が肩部側から後口側まで全て同じである場合には、下翼板のエレメント案内面から第２フランジの下面までの高さが低く、傾倒しようとする前記エレメントＥ１の傾倒姿勢では、その噛合頭部ＥＨと第２フランジとが干渉してしまい、噛合頭部ＥＨが第２フランジの下面に案内されないまま、第１フランジと第２フランジとの間隙に進入し、挟み込まれてしまう。
【００３１】
その点、本実施例によるスライダー１００であれば、第２フランジ１０５の肩口側端部の下面が切除されて薄肉に形成されているため、傾倒が僅かである前記エレメントＥ１の噛合頭部ＥＨはスライダー１００の摺動とともに第２フランジの下面へと導かれ、エレメント案内通路ＧＰへと円滑に導入される。図１１はエレメント案内通路ＧＰに導入された瞬間の第１フランジの上板部分の肩口側端面を通る横断面図を示している。同図に示すように、第２フランジ１０５の少なくとも第１フランジ１０２，１０３と対向する領域から楔状領域１０５ｂの面の下面には、上述のような関係をもつテーパ角α２，α３のテーパ面１０５ｃを段階的に形成しておけば、エレメント案内通路ＧＰに導入されたエレメントＥはそのテーパ面１０５ｃに円滑に導かれながら噛合に必要な所要の傾倒姿勢へと確実に移行させることができ、最終的には第２フランジ１０５の楔状領域１０５ｂの下面へと導かれるため好ましい。図１１において、符号Ｔはファスナーテープを示す。
【００３２】
なお、本実施例にあっては、図３及び図８に示すように第１フランジ１０２，１０３の上板部分１０２ａ，１０３ａの平行領域ＰＥには、その対向する側縁部の下面を段部１０２ｃ，１０３ｃを介して直線状に切除した薄肉部１０２ｄ，１０３ｄを形成している。前記薄肉部１０２ｄ，１０３ｄは、図８に示すように、第２フランジ１０５の矩形状領域１０５ａの左右側縁の各延長線に沿って第１フランジ１０２，１０３の上板部分１０２ａ，１０３ａを内外領域に２分したときの内側領域に相当する。この薄肉部１０２ｄ，１０３ｄは前記第２フランジ１０５の周面のテーパ面１０５ｃを形成するために必要なスライダー成形時の図示せぬ挿入型との干渉を避けるがためである。
【００３３】
図１２は本発明の第２実施例に係る隠しスライドファスナー用のスライダーを一部切除して示す肩口側の斜め上方から見た斜視図である。この実施例では、第２フランジ１０５の肩口側端面を案内柱１０４の同端面と面一に形成するとともに、同端面を除く第２フランジ１０５の周面に沿って同一テーパ角αのテーパ面１０５ｃを連続して形成している点で第１実施例と異なっている。その他の構成は上記第１実施例と実質的に変わるところがない。そのため、この実施例において第１実施例と実質的に異ならない部材には同一の符号を付している。この第２実施例によっても、上記第１実施例と同等の作用効果が期待できる。なお、この実施例にあっては、前記テーパ面１０５ｃを上記直線Ｌまでの間で止め、続く楔状領域１０５ｂの先端まではテーパ面１０５ｃを形成しないままでもよい。
【００３４】
図１３は、本発明の第３実施例に係る隠しスライドファスナー用のスライダーを一部切除して示す肩口側の斜め上方から見た斜視図である。この実施例では、第２フランジ１０５の肩口側端面から上板部分１０２ａ，１０３ａの案内柱側端面を結ぶ直線Ｌの位置までの肉厚を漸次増加させるとともに、引き続きその肉厚をもって楔状領域１０５ｂの先端までの肉厚を前記肩口側の肉厚よりも厚くしている。更に、その肉薄部の側面にテーパ角α１が漸増してテーパ角α３となる連続するテーパ面１０５ｃを形成するとともに、同肉薄部から楔状領域１０５ｂの先端までは連続する上記テーパ角α３をもつテーパ面１０５ｃを形成している。この実施例にあっても、第２フランジ１０５の上記直線Ｌから案内柱側端面まで小さなテーパ角α１〜α３のテーパ面に形成するとともに、第１フランジ１０５の下翼板１０１のエレメント案内面ＧＳから肩口側端面側の下面までの高さＨを他の領域より高くしているため、上記第１実施例と同等の作用効果が期待できる。
【図面の簡単な説明】
【００３５】
【図１】本発明の第１実施例に係る隠しスライドファスナー用のスライダーを肩口側の斜め上方から見た斜視図である。
【図２】同スライダーの一部を切除して肩口側の斜め下方から見た部分斜視図である。
【図３】同スライダーの要部を後口側から見た正面図である。
【図４】同スライダーの引手取付柱を切除したときの第２フランジの外観形状を模式的に示す肩口側から見た斜視図である。
【図５】図４のV-V 線に沿った矢印方向の断面図である。
【図６】図４のVI-VI 線に沿った矢印方向の断面図である。
【図７】図４のVII-VII 線に沿った矢印方向の断面図である。
【図８】同スライダーの半部の一部を拡大して示す下翼板のエレメント案内面から見た水平断面図である。
【図９】同スライダーを下翼板のエレメント案内面から見た噛合エレメントの挙動説明図である。
【図１０】同スライダーの半部の一部を拡大して示す肩口側から見たときの噛合エレメントの挙動説明図である。
【図１１】同スライダーのエレメント通路中に導入されるときのスライドファスナーの半部の状態を示す横断面図である。
【図１２】本発明の第２実施例に係る隠しスライドファスナー用スライダーの要部を肩口側の斜め上方から見た部分斜視図である。
【図１３】本発明の第３実施例に係る隠しスライドファスナー用スライダーの要部を肩口側の斜め上方から見た部分斜視図である。
【符号の説明】
【００３６】
１００                  スライダー
１０１                  下翼板
１０１ａ                ランド部
１０２，１０３          左右の第１フランジ
１０２ａ，１０３ａ      上板部分
１０２ｂ，１０３ｂ      側壁部分
１０２ｃ，１０３ｃ      段部
１０２ｄ，１０３ｄ      薄肉部
１０４                  案内柱
１０５                  第２フランジ
１０５ａ                矩形領域
１０５ｂ                楔状領域
１０５ｃ                テーパ面
105c-1〜105c-5          第１〜第５テーパ面
１０６                  引手取付柱
１０７                  引手
１０７ａ                環状部
Ｔ                      ファスナーテープ
ＦＳ                    ファスナーストリンガー
Ｅ                      噛合エレメント
ＥＨ                    噛合頭部
Ｄ                      間隙
Ｌ                      左右上板部分の先端面を結ぶ直線
α１〜α５              第１〜第５テーパ角
Ｔ１〜Ｔ５              肉厚
Ｈ１〜Ｈ５              高さ
Ｅｇ                    テーパ面の上端稜線部
ＧＰ                    エレメント通路
ＧＳ                    エレメント案内面
ＰＥ                    平行領域
【図１】
2007054176.tif 000003
【図２】
2007054176.tif 000004
【図３】
2007054176.tif 000005
【図４】
2007054176.tif 000006
【図５】
2007054176.tif 000007
【図６】
2007054176.tif 000008
【図７】
2007054176.tif 000009
【図８】
2007054176.tif 000010
【図９】
2007054176.tif 000011
【図１０】
2007054176.tif 000012
【図１１】
2007054176.tif 000013
【図１２】
2007054176.tif 000014
【図１３】
2007054176.tif 000015